(57)【要約】【課題】広告宣伝媒体若しくは商品に付せられた２次元コードを携帯電話等の携帯端末で読取って、自動的に内容を認識して画像・音声配信情報を発信して携帯端末に画像・音声情報を取得できる携帯端末による情報通信方式を提供する。【解決手段】画像表示が可能な媒体にＱＲコードの画像を表示する第１のステップと、携帯端末のコード読取手段により前記ＱＲコードを読取る第２のステップと、前記読取ったＱＲコードの情報に基づいて前記携帯端末から画像・音声配信元若しくは仲介者のシステムに配信依頼情報を送信する第３のステップと、前記システムから送信されて来る画像・音声を前記携帯端末で受信してリアルタイムに表示する第４のステップと、を備える。【選択図】図１
2006295898.tif 000002
【特許請求の範囲】
【請求項１】
画像表示が可能な媒体にＱＲコードの画像を表示する第１のステップと、携帯端末のコード読取手段により前記ＱＲコードを読取る第２のステップと、前記読取ったＱＲコードの情報に基づいて前記携帯端末から画像・音声配信元若しくは仲介者のシステムに配信依頼情報を送信する第３のステップと、前記システムから送信されて来る画像・音声を前記携帯端末で受信してリアルタイムに表示する第４のステップと、を含むことを特徴とする携帯端末による情報通信方式。
【請求項２】
前記第１のステップにおいて、前記画像・音声に関連するキャラクタ画像を前記ＱＲコードの上に重ねて表示することを特徴とする請求項１に記載の携帯端末による情報通信方式。
【請求項３】
前記ＱＲコードの上に掲載する画像は、前記ＱＲコードの誤り訂正が可能な範囲内の領域に配置されている請求項２に記載の携帯端末による情報通信方式。
【請求項４】
前記ＱＲコードの上に掲載する画像が動画像である請求項２又は３に記載の携帯端末による情報通信方式。
【請求項５】
前記携帯端末がカメラ付き携帯電話である請求項１乃至４のいずれかに記載の携帯端末による情報通信方式。
【請求項６】
前記媒体が、テレビ、インターネットに接続されたパソコン、電子広告塔を含む大型表示パネルを有する表示装置、又は投影型表装置である請求項１乃至５のいずれかに記載の携帯端末による情報通信方式。
【請求項７】
ＱＲコードが印刷された第１の媒体を第２の媒体の表面上に剥離可能に設ける第１のステップと、携帯端末のコード読取手段により前記ＱＲコードを読取る第２のステップと、前記読取ったＱＲコードの情報に基づいて前記携帯端末から画像・音声配信元若しくは仲介者のシステムに配信依頼情報を送信する第３のステップと、前記システムから送信されて来る画像・音声を前記携帯端末で受信してリアルタイムに表示する第４のステップと、を含むことを特徴とする携帯端末による情報通信方式。
【請求項８】
前記ＱＲコードの上に前記画像・音声に関連する画像若しくは文字情報が印刷されている請求項７に記載の携帯端末による情報通信方式。
【請求項９】
前記第１の媒体は、裏側の面に前記ＱＲコードが印刷されると共に、表側の面に前記画像・音声に関連する画像若しくは文字情報が印刷されている請求項７又は８に記載の携帯端末による情報通信方式。
【請求項１０】
前記第２の媒体がポスター若しくはパンフレットであり、その印刷面を覆うように前記第１の媒体が多数敷設されている請求項７乃至９のいずれかに記載の携帯端末による情報通信方式。
【請求項１１】
前記第２の媒体が商品としてのアイスクリームの容器である請求項７乃至９のいずれかに記載の携帯端末による情報通信方式。
【請求項１２】
前記第１の媒体がシール若しくはステッカーである請求項７乃至１１のいずれかに記載の携帯端末による情報通信方式。
【請求項１３】
前記第１の媒体が前記第２の媒体の表面上に剥離可能に直接貼設されている請求項７乃至１２のいずれかに記載の携帯端末による情報通信方式。
【請求項１４】
前記第１の媒体が透明な袋体に収容されており、前記袋体が前記第２の媒体の表面上に剥離可能に貼設されている請求項７乃至１２のいずれかに記載の携帯端末による情報通信方式。
【発明の詳細な説明】
【技術分野】
【０００１】
本発明は携帯電話等の携帯端末による情報通信方式に関し、特にＱＲコード（登録商標）等の２次元コードを介して画像（動画を含む）・音声による広告宣伝、キャンペーン、イベントに関する情報を携帯端末で容易かつ迅速に受信できるようにした情報通信方式に関する。
【背景技術】
【０００２】
インターネットが広く普及して来ているが、ホームページを見るためにはインターネットに接続されたパソコン等からＵＲＬ（Uniform  Resource  Locator）を入力する必要がある。
【０００３】
また、商品の販売やイベントの広告や宣伝はテレビやラジオ、或いは新聞、雑誌等を介して行われるが、詳細内容を知るためには電話やＦＡＸ、インターネット等を利用して、販売会社や企画会社等から必要な情報を取得している。
【発明の開示】
【発明が解決しようとする課題】
【０００４】
しかしながら、電話をするためには電話番号を記憶したりメモしたりする必要があり、記憶を頼りに電話をかけたり、メモを見ながら電話をかけなければならない煩わしさがある。また、インターネットを利用する場合にもＵＲＬを入力する必要があり、ＵＲＬが不明な場合にはキーワードを考えて入力しなければならない煩わしさがある。つまり、ＵＲＬをクリックしてサイトにジャンプし、動画ファイルにアクセスして後に画像を送信してもらう必要がある。
【０００５】
利用者（顧客）としては広告媒体に直面したときに自動的にかつタイムリーに詳細情報を得られることが望ましい。商品の販売企業やイベント、キャンペーンの企画会社にとっても、顧客の手を煩わせることなく必要な情報を提供できることが、商品の販売促進、イベントの顧客吸引力を増進させることになる。パブリシティによるアップグレードな告知に加えて、目新しく斬新の手法の展開が強く望まれている。
【０００６】
本発明は上述のような事情よりなされたものであり、本発明の目的は、広告宣伝媒体若しくは商品に付せられた２次元コードを携帯電話等の携帯端末で読取って、自動的に内容を認識して画像・音声配信情報を発信して携帯端末に画像・音声情報を取得できる携帯端末による情報通信方式を提供することにある。
【課題を解決するための手段】
【０００７】
本発明は携帯端末による情報通信方式に関し、本発明の上記目的は、画像表示が可能な媒体にＱＲコードの画像を表示する第１のステップと、携帯端末のコード読取手段により前記ＱＲコードを読取る第２のステップと、前記読取ったＱＲコードの情報に基づいて前記携帯端末から画像・音声配信元若しくは仲介者のシステムに配信依頼情報を送信する第３のステップと、前記システムから送信されて来る画像・音声を前記携帯端末で受信してリアルタイムに表示する第４のステップと、を含む情報通信方式とすることにより達成される。
【０００８】
また、本発明の上記目的は、前記第１のステップにおいて、前記画像・音声に関連するキャラクタ画像を前記ＱＲコードの上に重ねて表示することにより、或いは前記ＱＲコードの上に掲載する画像は、前記ＱＲコードの誤り訂正が可能な範囲内の領域に配置されていることにより、或いは前記ＱＲコードの上に掲載する画像が動画像であることにより、或いは前記携帯端末がカメラ付き携帯電話であることにより、或いは前記媒体が、テレビ、インターネットに接続されたパソコン、電子広告塔を含む大型表示パネルを有する表示装置、又は投影型表装置であることにより、より効果的に達成される。
【０００９】
更に又、上述では仲介者に配信依頼情報を送信して、仲介者から画像や音声を送信するようになっているが、広告宣伝企業に直接アクセスし、広告宣伝企業から直接画像や音声を送信するようにすることも可能である。
【００１０】
或いは、本発明の上記目的は、ＱＲコードが印刷された第１の媒体を第２の媒体の表面上に剥離可能に設ける第１のステップと、携帯端末のコード読取手段により前記ＱＲコードを読取る第２のステップと、前記読取ったＱＲコードの情報に基づいて前記携帯端末から画像・音声配信元若しくは仲介者のシステムに配信依頼情報を送信する第３のステップと、前記システムから送信されて来る画像・音声を前記携帯端末で受信してリアルタイムに表示する第４のステップと、を含む情報通信方式とすることによっても達成される。
【００１１】
また、本発明の上記目的は、前記ＱＲコードの上に前記画像・音声に関連する画像若しくは文字情報が印刷されていることにより、或いは前記第１の媒体は、裏側の面に前記ＱＲコードが印刷されると共に、表側の面に前記画像・音声に関連する画像若しくは文字情報が印刷されていることにより、或いは前記第２の媒体がポスター若しくはパンフレットであり、その印刷面を覆うように前記第１の媒体が多数敷設されていることにより、或いは前記第２の媒体が商品としてのアイスクリームの容器であることにより、或いは前記第１の媒体がシール若しくはステッカーであることにより、或いは前記第１の媒体が前記第２の媒体の表面上に剥離可能に直接貼設されていることにより、或いは前記第１の媒体が透明な袋体に収容されており、前記袋体が前記第２の媒体の表面上に剥離可能に貼設されていることにより、より効果的に達成される。
【発明の効果】
【００１２】
本発明によれば、携帯電話等の携帯端末を利用して動画等の画像と音声の配信を送信依頼して簡単に受信できるので、企業側から見れば商品販売の販促効果が大きく、消費者側から見れば情報を必要とするときにその場で容易に取得できる利点がある。また、イベント企画を直接的に消費者や顧客に伝達できるので、企業の広告宣伝、キャンペーン手段として利用拡大が期待できる。
【００１３】
更に、利用者としても自己が所持している携帯端末から必要な画像や音声の情報を迅速に取得できるので、より高い品質で価格が適宜な商品を購買でき、密度の高い興味あるイベントに参加できると共に、企画側においても参加側においても大きな期待を持てる。
【００１４】
更に、ＱＲコードの上に画像や文字情報を重畳させて媒体に表示あるいは印刷して提示する方式とすることにより、ＱＲコードの領域以外に表示用領域（若しくは印刷用領域）を設けることなく、当該システムから提供される画像・音声のタイトルやサンプル映像等の情報を掲載しておくことが可能となる。
【発明を実施するための最良の形態】
【００１５】
図１は本発明の全体構成を示しており、消費者は携帯端末として携帯電話１０を所持しており、仲介者２０は図示しない各企業からの画像（動画、静止画を含む）及び音声の情報（例えば広告宣伝内容）を登録して管理している。この登録はオフラインでもオンラインでも可能である。携帯電話１０はカメラによる撮像機能を有しており、各企業の情報登録はインターネットのホームページとして機能しており、各社のホームページにはＵＲＬが付されている。仲介者２０は企業（Ｘ社）の商品、例えば図２に示すアイスクリーム３０を販売（若しくは製造して）するに当り、アイスクリーム３０の容器３１の一部に２次元コードとしてのＱＲコード（登録商標）４０を印刷するか、若しくはＱＲコード４０が印刷されたシールを貼設する。アイスクリーム３０の情報やキャンぺーン情報は、仲介者２０に登録されて管理される。
【００１６】
ＱＲコード４０は図３に示すような２次元コードであり、アイスクリーム３０の詳細情報（商品に関する情報やイベント、キャンペーン情報等）をインターネットのホームページから取得するためのＵＲＬが含まれている。従って、携帯電話１０のカメラ機能は、アイスクリーム３０に付せられているＱＲコード４０を読取って、ＵＲＬを解読して発信できる機能を具備している。
【００１７】
また、企業（Ｙ社）が旅行代理店であり、テレビを媒体として広告宣伝する場合、図４に示すようにテレビ映像３２の中の一部にＱＲコード４１を映像する。この場合も、携帯電話１０はテレビ画面上でＱＲコード４１を読取って解読できる機能を具備している。
更に、企業（Ｚ社）が芸能プロダクションであり、ポスターを媒体として広告宣伝する場合、図５に示すように店頭や駅貼のポスター３３に広告宣伝のためのコピー３４を印刷すると共に、ポスター３３の一部にＱＲコード４２を印刷して表示している。この場合も、携帯電話１０はＱＲコード４２を読取って解読できる機能を具備している。
【００１８】
仲介者２０は携帯電話サービス業者が相違する場合でも、各社のフォーマットを統一的に利用できる通信システムとなっている。つまり、消費者が所持する携帯電話１０が、異なる通信サービス会社の仕様であっても自由に利用できる必要があり、図１に示すように通信サービス会社２１（Ａ社）、２２（Ｂ社）、２３（Ｃ社）との間で「条件」や「消費者情報」を相互に通信できると共に、仲介者２０を介して他社の携帯電話であっても相互に通信できるようになっている。なお、上記「消費者情報」は、例えば、消費者が所有する携帯電話がどの電話通信会社（携帯キャリア）のどの機種なのかを示す「携帯電話情報」と、「配信依頼情報」とを含む情報である。また、「配信依頼情報」とは、自分が欲しい情報（画像、音等）を仲介者２０の通信システム（コンピュータシステム）に配信するよう要求する情報であり、例えば、消費者が自分の携帯電話１０で読取ったＱＲコード４０に示されるアクセス先を示すアドレス情報、及び消費者が要求する情報（画像、音等）が何であるかを特定するための情報とを含む情報である。また、上記「条件」とは、通信サービス会社２１との間で決める条件であり、例えば、消費者が要求した情報を取得する際に発生するパケット料金と通信料を自己負担とするか否かを示す条件、どのような配信形態とするかを示す条件（例えば、消費者の携帯電話に配信する動画・音声の情報をストリーミング配信の形態とするか、ダウンロード可能な配信形態とするかを配信元が決定するの条件）、２次元コード（本例ではＱＲコード）にアクセス可能な機種が「第三世代」携帯電話であるという条件のことを言う。
【００１９】
携帯電話１０の構成は図６に示すようになっており、全体の制御を行うＣＰＵ（又はＭＰＵやＭＣＵ）１１には、プログラム等を格納したＲＯＭ１２、作業メモリとなるＲＡＭ１３が接続されると共に、カメラ１４１及びカメラ１４１で撮像した画像を処理する画像処理部１４２、処理した画像からＱＲコード（４０〜４２）等を解読する解読部１５、データや指示等を行う入力部１６が接続されている。ＣＰＵ１１には更に、表示制御部１７１を介して表示部１７２、無線で通信を行う通信部１８、音声を出力するスピーカ１９が接続されている。なお、携帯電話１０は、第三世代の携帯電話、すなわちＩＴＵ（国際電気通信連合）によって定められた「ＩＭＴ−２０００（International  Mobile  Telecommunication  2000）」標準に準拠したデジタル携帯電話であれば、ＱＲコードの解読機能等を追加することなく、本発明に係る情報通信システムを活用することができる。
【００２０】
また、仲介者２０の構成は図７に示すようになっており、全体の制御を行うＣＰＵ（又はＭＰＵやＭＣＵ）２１には、プログラム等を格納したＲＯＭ２２、作業メモリとなるＲＡＭ２３が接続されると共に、無線で通信を行う通信部２４が接続されている。また、ＣＰＵ２１には各広告宣伝会社の情報（画像、音等）を登録する登録部２５、表示制御部２６１を介した表示部２６２、データや指示等を行う入力部２７、各通信サービス会社のフォーマットを変換するフォーマット変換部２８が接続されている。例えば、各電話通信会社における携帯電話への情報（画像・音声及び文字情報）の配信については、各社が異なるプロトコル（情報フォーマット）を使用しているため、フォーマット変換部２８によりプロトコルの変換処理を行っている。より詳しくは、仲介者２０又は配信元のコンピュータシステムでは、アクセスしてきた携帯電話１０の機種を判別する「自動判別手段」と、携帯キャリア及び携帯電話の機種に応じてプロトコルを変換して送受信する「プロトコル変換手段」とを、例えば情報管理手段である「サーバ」に備え、自動的に各携帯キャリアのプロトコル（情報フォーマット）への変換処理をサーバが実行すると共に、消費者が要求する情報を自動的に２４時間、サーバから配信できるようにしている。なお、サーバが有する上記「自動判別手段」と「プロトコル変換手段」、及び、配信依頼情報で要求された情報を要求元の携帯電話１０に送信して表示させるための「配信手段」と、後述するコンテンツ選択画面を要求元の携帯電話１０に送信して表示させるための「選択画面送信手段」は、本実施の形態ではそれぞれコンピュータプログラムで実現されている。
【００２１】
このような構成において、消費者の携帯電話１０の通信部１８及び仲介者２０の通信部２４はインターネットに接続されて相互に通信可能になっており、各社Ｘ〜Ｚの商品や企画等の広告宣伝或いはキャン０１ペーン、イベント情報等は仲介者２０の登録部２５に画像（動画、静止画）、音声等で登録されている。なお、これらの画像、音声等の情報は、オンライン又はデータ素材の形で仲介者２０に渡され、情報源のアドレス情報（本例ではＵＲＬ情報）で検索可能に登録部２５に登録されると共に、そのアドレス情報を少なくとも含む情報が２次元コード（好ましくはＱＲコード）として符号化される。そして、２次元コードは、表示部への画像（映像を含む）の表示が可能なテレビ、インターネットに接続されたパソコン、電子広告塔や電飾看板装置等の大型表示パネルを有する表示装置、及びゲーム装置などの表示装置の他に、スクリーン上への映像の投影が可能な映画館の映像投影装置や家庭用プロジェクタなどの投影型表示装置に表示される。あるいは、ポスター、チラシ、看板、書籍、ステッカー、商品の容器（例えば曲面を有するカップ状の容器）などの「印刷媒体」に印刷されて、消費者（視聴者や商品の購入者等）に提示される。
【００２２】
そして、消費者が店頭で販売されているアイスクリーム３０を購買したり、テレビで旅行案内の映像３２を観たり、街頭でキャンペーンのポスター３３を見て興味を示したり、或いは詳細情報を希望したり、或いは動画を見たいような場合には、アイスクリーム３０に付せられているＱＲコード４０、或いはテレビの映像３２に映像されているＱＲコード４１、或いはポスター３３に付せられているＱＲコード４２を携帯電話１０のカメラ１４１で撮像する。撮像されたＱＲコード４０〜４２は画像処理部１４２でデータ処理されると共に、解読部１５でＵＲＬ等が解読され、更に表示制御部１７１を介して表示部１７２に例えば図８に示すように表示される。
【００２３】
この表示を見て、消費者が入力部１６で所定のキーを入力（クリック）することにより、携帯電話１０から配信依頼情報が通信部１８及び２４を介して仲介者２０に送信され、その中に含まれているＵＲＬ情報に従って登録部２５に登録されているホームページにアクセスする。これによりアクセスされたＵＲＬのホームページの画像や音声が読出され、通信部２４及び１８を介して携帯電話１０に送信され、表示制御部１７１を介して表示部１７２に画像が表示されると共に、スピーカ１９から音声が出力される。画像や音声はＣＭ、メイキング、キャンペーン告知、俳優等からのメッセージ等である。
【００２４】
従って、消費者は自分の携帯電話１０でアクセスしたＵＲＬの画像を表示部１７２で見ることができる共に、スピーカ１９からの音声を聴くことができる。
【００２５】
図５のポスター３３は１枚の紙等にイベントやキャンペーンのコピー３４が表示されると共に、ＱＲコード４２が表示されている例を示したが、例えば、図９（Ａ）に示すように、ＱＲコードを付した多数枚のステッカー３６を、１枚のポスター３５の印刷面全域（若しくは一部の領域）を覆うように、ポスター３５の表面上に剥離可能に設けておく形態としても良い。図９（Ａ）のポスター３５の例では、貼着されている全部のステッカー３６が剥離されると、図９（Ｂ）のような画像３７が現れるようになっている。また、ステッカー３６の表側の面には、本例では図９（Ｂ）の画像３７中のキャラクタ（配信される画像・音声に関連するＣＭタレントの写真）の画像が印刷されている。図９（Ｃ）は、ステッカー３６の裏面の例を示しており、本例では、剥離可能なステッカー３６の裏面に、ＱＲコード４３が印刷されている。
【００２６】
そして、そのステッカー３６を消費者（ユーザ）が剥がして、携帯電話１０のコード読取機能でＱＲコード４３を読取ると、そのＱＲコード４３に含まれるＵＲＬ情報が図６中の解読部１５によって解読されると共に、配信を依頼するクリック操作（所定のキーによるクリック操作又は操作ボタンの押下）に応じて携帯電話１０の通信部１８を介して配信依頼情報が仲介者２０のサーバ送信され、ＵＲＬ情報で特定される画像や音声の情報を通信部１８が受信すると、その画像が携帯電話１０の表示部１７２にリアルタイムに表示されると共にスピーカ１９から音声が出力される。
【００２７】
本例では、ＵＲＬ情報で特定される画像・音声（画像又は音声、若しくは画像及び音声）は、図９（Ｂ）に示される画像３７中のタレントの動画像とそのタレントの音声（若しくはＣＭソング）であり、携帯電話１０によるＱＲコードの読取動作に連動して表示部１７２に自動的に表示されると共に、受信した動画像と音声がＲＡＭ１３に保存され、任意の時点で再生できるようになっている。それらの動画像と音声に対応するＱＲコード４３は、１枚のポスター３５では同一であっても良いが、ステッカー３６の表面に印刷されたＣＭタレントの画像の種類毎あるいは個々のステッカー３６毎に、異なるＱＲコードを付与するようにしても良い。また、ステッカー３６の貼着面を逆にして、ＱＲコード４３を有する面を表側にしてポスター３５の表面上に貼設する形態としても良い。
【００２８】
なお、図９（Ａ）に示される個々のステッカー３６は、例えば、広告宣伝対象の商品である「アイスクリーム」を食べるタレントの様々な表情の写真が印刷された写真カード（例えば、粘着面又は磁気層を有するシール状のカード）であり、消費者（利用者）は、ステッカー３６を持ち帰って、写真カードとして利用できると共に、ＱＲコード４３に対応する各種の動画や文字情報を、２４時間いつでも受信して楽しめるようになっている。ステッカー３６の枚数は、ポスター３５の大きさにより随時変更されるが、例えば駅貼のポスターでは１枚のポスターに数百枚（実施例では２００種類の写真７２０枚）を貼着することができる。
【００２９】
また、図９の例では、ステッカー３６をポスター３５の表面上に剥がせる形で貼設しておく形態を例として説明したが、ステッカー３６の表面を目視可能に収容する収容体（例えば、透明な袋体）をポスター３５の表面全域若しくは一部に備えた形態としても良い。すなわち、例えば図９（Ａ）中のステッカー（写真カード）３６をそれぞれ透明な袋に入れて、それらの袋を印刷物やポスター上に貼り付けておき、消費者がこの袋を剥がし取って、袋の中から写真カード３６を取り出し、カード裏面に表示されたＱＲコードを携帯電話１０のコード読取機能で読取って仲介者（又は配信元）２０のシステムにアクセスし、該当の画像・音声を携帯端末１０で受信する形態としても良い。
【００３０】
次に、２次元コード（ＱＲコード４０〜４３）と画像・音声情報との対応関係について説明する。
【００３１】
媒体に表示若しくは印刷される２次元コード（ＱＲコード４０〜４３）と、画像・音声配信元から送信される画像・音声の情報（以下、「コンテンツ」と呼ぶ）は、１対１の対応関係としても良いが、１対ｎ（ｎは２以上の整数）の対応関係とし、利用者が所望のコンテンツを選択できる形態としても良い。例えば、１つのＱＲコードに対して様々な内容のコンテンツを関連付けて仲介者２０のサーバに登録しておき、携帯電話１０からの配信依頼情報に対して、コンテンツ選択画面をサーバから送信して携帯電話１０の表示部１７２に表示し、利用者が所望のコンテンツを画面上のクリック操作で選択できるようにしても良い。さらに、１つのＱＲコード４３に複数のＵＲＬ情報を符号化しておき、複数の情報を一度に取得して携帯電話１０の表示部に分割画面で表示する形態としても良い。
【００３２】
図１０は、携帯電話側に表示されるコンテンツ選択画面の一例を示している。この例は、携帯電話１０からの配信依頼情報に対して、４種類のコンテンツの項目Ｃ１〜Ｃ４を選択画面として表示した場合の例であり、利用者は、所望の項目をクリックすると、その項目に対応する該当のコンテンツが仲介者２０のサーバから送信されて、携帯電話１０の表示部１７２に表示されるようになっている。携帯電話１０側に送信されるコンテンツは、図１０の例では、４種類の動画像であるが、この例に限るものではなく、異なる種類の動画像、静止画像、文字情報、若しくは音声（音声言語及び／又は楽曲）、あるいはそれらを組み合わせたものとしても良い。
【００３３】
なお、仲介者２０のサーバは、例えば動画再生用のアプリケーションプログラム（「再生アプリ」とする）を携帯電話１０側にダウンロードして自動インストールする機能を有している。例えば、仲介者２０のサーバでは、携帯電話１０から配信依頼情報を受信した後、再生アプリが携帯電話１０にインストールされていないと認識した場合には、ダウンロードの要否を示す画面データを送信して携帯電話１０の表示部に表示し、利用者によるダウンロードの指示により、再生アプリのダウンロード及びインストールを実行すると共に、自動インストールの完了後に、ＱＲコードに対応するコンテンツ（又はコンテンツ選択画面のデータ）を送信する。
【００３４】
上述した実施の形態においては、表示媒体若しくは印刷媒体にＱＲコードを印刷若しくは表示しておく場合を例として説明したが、そのＱＲコードの上に更にキャラクタ（画像若しくは文字情報）を重畳させて印刷若しくは表示する形態としても良い。
【００３５】
次に、その実施形態について説明する。先ず、ＱＲコードの上に情報を掲載できる原理について説明する。
【００３６】
ＱＲコードは誤り訂正機能を持っており、コードの一部に汚れや破損があっても、誤り訂正機能によりデータを復元して正常に読取ることが可能である。また、ＱＲコードは、コードワード単位（８ビット）で７〜３０％の復元率を有し、誤り訂正レベルがＨレベルの場合には３０％が訂正可能である。以下に説明する実施の形態では、画像表示媒体若しくは印刷媒体にＱＲコードを掲載する際、ＱＲコードが持つ誤り訂正機能を利用して、その誤り訂正が可能な範囲でＱＲコード（好ましくはＨレベルのＱＲコード）上にキャラクタを載せて掲載するようにしている。
【００３７】
ここでは、取得するコンテンツ（画像・音声、又は文字情報、若しくはそれらを組み合わせた電子コンテンツ）に関連する動画像又は静止画像を「シンボル画像」として、そのシンボル画像を重畳させたＱＲコードの画像を電子広告塔やテレビ等の表示装置のディスプレイ部に表示する場合を例として説明する。なお、ＱＲコードの上に掲載する情報は、サムネイル画像やサンプル映像等の画像情報に限るものではなく、コンテンツのタイトル等を示す文字情報であっても良い。本発明では、文字情報を含めて「キャラクタ画像」と呼ぶ。
【００３８】
電子広告塔やテレビ等の放映システムにおいては、表示装置の表示部に主画像とは異なる画像をオーバーラップ表示したり、主画像の表示ウィンドウとは別のウィンドウ内に表示したりすることが行われているが、その際には主画像に極力影響しないようにすることが望ましい。そこで、本実施の形態では、ＱＲコードの上に動画像又は静止画像（及び／又は文字情報）を重畳させたキャラクタ画像をディスプレイ上の所定位置にオーバーラップ表示することで、ＱＲコードの領域のみを利用して所望の画像を掲載できるようにしている。この場合、キャラクタ画像付きのＱＲコードを表示する装置としては、街頭等に設置される電子広告塔や電飾看板装置など、大型表示パネルを有する業務用の表示装置が好ましいが、パソコンやテレビ等の家庭用の表示装置でも良い。また、映画館のスクリーンやプロジェクタのスクリーンなど、映像信号に混合させてスクリーン面上に投影してＱＲコードを表示する形態としても良い。
【００３９】
図１１は、ＱＲコードの上にキャラクタ画像（動画像又は静止画像）を重畳させた画像の一例を示している。ＱＲコード４０の上に表示されるキャラクタ画像４０ａは、例えば仲介者２０の通信システムのデータベースにＱＲコードと１対１又は１対ｎ（ｎは２以上の整数）で対応させて登録しておく。ＱＲコードの上に重畳される画像４０ａの領域は、ＱＲコードの誤り訂正が可能な範囲内の所定領域（ＨレベルのＱＲコードが好ましく、その場合は最大３０％の領域）であり、その形状は、矩形に限るものではなく、多角形、縞状、十字状など任意の形状である。但し、コードの復元率は、画像４０ａの形状と位置、大きさ及び配置方向に依存する。そのため、例えば、予め読取試験をしたものについて、キャラクタ画像とその配置情報をＱＲコードに対応させて、画像・音声配信元若しくは仲介者が管理するウェブサーバのデータベースに登録しておく。
【００４０】
そして、例えば、放映のスケジュール情報と共に事前にＱＲコード４０とキャラクタ画像４０ａの画像データをデータベースから読み出して放映システムに送信しておき、放映スケジュールに従って、ＱＲコード４０の上にキャラクタ画像４０ａを重畳させて、主の映像上にオーバーラップ表示する。ＱＲコードの放映中は、１つのキャラクタ画像をＱＲコード上に表示するようにしても良いが、所定時時間毎に当該ＱＲコードに対応する他のキャラクタ画像と切替えて表示する形態としても良い。ＱＲコード４０の上に掲載するキャラクタ画像４０ａは、縮小見本の静止画像や動画像に限るものではない。例えば、映画や楽曲等のコンテンツを提供するシステムにおいては、タイトル、俳優、歌手等の画像又は文字情報など、コンテンツを識別するための情報でも良い。
【００４１】
なお、商品として上述ではアイスクリームを例に挙げたが、名刺や文房具等の事務用品、ゴミ箱、スリッパ等の家庭用品、書籍、雑誌、新聞、書画、手袋や靴、ゴルフ用品等のスポーツ用品、食品、酒類や飲料等のカンや瓶若しくはペットボトル、車などにも適用できる。また、広告宣伝の媒体として配布される団扇や扇子、ポケットティッシュ、パッケージ、イベントツール、スクールボード等に２次元コードを付しても良い。２次元コードは直接の印刷でも良いし、シールやステッカーを介しても良い。
【００４２】
更に、上述ではカメラでＱＲコードを撮像して光学的に読取るようになっているが、ＱＲコードのインク媒体によっては磁気的若しくは電気的な読取りも可能であり、また、ＱＲコードを携帯電話のカメラで撮像してから所定のキー操作（クリック）でＵＲＬにアクセスするようにしているが、自動的にアクセスすることも可能である。
【産業上の利用可能性】
【００４３】
本発明によれば、自己が所有する携帯電話等の携帯端末を利用して、動画等の画像と音声の配信を送信依頼して容易かつ迅速に受信できるので、斬新な手法のために商品販売の販促効果が大きく、またイベント企画やキャンペーンを直接的に顧客に伝達できるので、企業の広告宣伝手段として利用拡大が期待できる。
【００４４】
また、利用者としても自己が所持している携帯端末から必要な画像・音声情報を容易かつ迅速に取得できるので、より高い品質の商品を購買できると共に、興味のあるイベントやキャンペーンに参加できるので、商取引において大きな期待を持てる。
【００４５】
パブリシティによるアップグレードな告知に加えて、話題性の高い広告宣伝を行い得るので、ターゲットを絞り込んだプロモーションを展開することができる。
【図面の簡単な説明】
【００４６】
【図１】本発明の概略構成を示すシステム図である。
【図２】商品としてのアイスクリームの外観図である。
【図３】ＱＲコードの一例を示す図である。
【図４】テレビでの広告宣伝の一例を示す画面図である。
【図５】ポスターでの広告宣伝の一例を示す図である。
【図６】携帯電話の構成例を示すブロック図である。
【図７】仲介者の構成例を示すブロック図である。
【図８】携帯電話の表示部の表示例を示す図である。
【図９】ポスターの他の例を示す図である。
【図１０】携帯電話側に表示されるコンテンツ選択画面の一例を示す図である。
【図１１】ＱＲコードの上に動画像又は静止画像を重畳させた画像の一例を示す図である。
【符号の説明】
【００４７】
１０                携帯電話
１１、２１          ＣＰＵ
１２、２２          ＲＯＭ
１３、２３          ＲＡＭ
１４１              カメラ
１４２              画像処理部
１７１、２６１      表示制御部
１７２、２６２      表示部
１８、２４          通信部
１９                スピーカ
２０                仲介者
２８                フォーマット変換部
３０                アイスクリーム
３１                容器
３２                テレビの映像
３３、３５          ポスター
３４                コピー
３６                ステッカー
４０〜４３          ＱＲコード（２次元コード）
４０ａ              ＱＲコード上の画像
【図１】
2006295898.tif 000003
【図２】
2006295898.tif 000004
【図３】
2006295898.tif 000005
【図４】
2006295898.tif 000006
【図５】
2006295898.tif 000007
【図６】
2006295898.tif 000008
【図７】
2006295898.tif 000009
【図８】
2006295898.tif 000010
【図９】
2006295898.tif 000011
【図１０】
2006295898.tif 000012
【図１１】
2006295898.tif 000013